(57)【要約】【課題】位置情報取得手段と、映像情報取得手段と、ネットワークインターフェイス手段とを設けた監視機器を用いて、容易に拡張可能で耐故障性に優れた監視システムを提供する。【解決手段】無線により識別情報を発信するＲＦＩＤタグ１０５が付与された監視対象者１０４について前記識別情報を受信して監視対象者１０４の位置情報を取得する複数のＲＦＩＤタグリーダ２０２と、ＲＦＩＤタグ１０５が付与された監視対象者を含む複数の監視対象者１０４について映像情報を取得する監視カメラ２０１と、無線ＬＡＮインターフェイス２０３とを設けた監視機器１０３を備え、監視機器１０３により取得された位置情報および映像情報を無線ＬＡＮインターフェイス２０３により無線ネットワーク基地局１０２を介して監視サーバ１０７へ送信するようにした。【選択図】図１
2006180387.tif 000002
【特許請求の範囲】
【請求項１】
個体識別要素が付与された個体について個体の位置情報を取得する位置情報取得手段と、個体識別要素が付与された個体を含む複数の個体について個体の映像情報を取得する映像情報取得手段と、ネットワークインターフェイス手段とを設けた監視機器を備え、前記位置情報取得手段および映像情報取得手段によって前記監視機器により取得された情報を前記ネットワークインターフェイス手段により前記監視機器からネットワークを介して監視管理装置に送信することを特徴とする監視システム。
【請求項２】
無線により識別情報を発信する個体識別要素が付与された個体について前記識別情報を受信して個体の位置情報を取得する複数の位置情報取得手段と、個体識別要素が付与された個体を含む複数の個体について個体の映像情報を取得する映像情報取得手段と、無線ネットワークインターフェイス手段とを設けた監視機器、前記監視機器により取得された位置情報および映像情報を監視管理装置へ送信するための無線ネットワーク基地局を備え、前記位置情報取得手段および映像情報取得手段によって前記監視機器により取得された位置情報および映像情報を前記無線ネットワークインターフェイス手段により前記監視機器から前記無線ネットワーク基地局へ送信することを特徴とする監視システム。
【請求項３】
前記識別情報を受信する複数の位置情報取得手段の受信有効範囲を重ね合わせて前記監視機器を配置することを特徴とする請求項２に記載の監視システム。
【請求項４】
前記監視機器のセンサとして赤外線センサを設けることを特徴とする請求項１から請求項３までのいずれかに記載の監視システム。
【請求項５】
前記監視機器に監視管理装置からの指令に応動する警報装置を設けることを特徴とする請求項１から請求項４までのいずれかに記載の監視システム。
【請求項６】
前記監視機器を、映像情報取得手段のみ持った映像情報取得監視機器と、位置情報取得手段のみ持った位置情報取得監視機器とによって構成することを特徴とする請求項１から請求項５までのいずれかに記載の監視システム。
【請求項７】
無線により識別情報を発信する個体識別要素が付与された個体について前記識別情報を受信して個体の位置情報を取得する複数の位置情報取得手段と、個体識別要素が付与された個体を含む複数の個体について個体の映像情報を取得する映像情報取得手段と、有線ネットワークインターフェイス手段とを設けた監視機器、前記監視機器により取得された位置情報および映像情報を監視管理装置へ送信するための有線中継手段を備え、前記位置情報取得手段および映像情報取得手段によって前記監視機器により取得された位置情報および映像情報を前記有線ネットワークインターフェイス手段により前記監視機器から前記有線中継手段へ送信することを特徴とする監視システム。
【請求項８】
前記監視機器が他の監視機器を介して無線ＬＡＮ基地局と通信するようにしたことを特徴とする請求項２に記載の監視システム。
【発明の詳細な説明】
【技術分野】
【０００１】
この発明は、ネットワークを介して監視情報を収集する監視システムに関するものである。
【背景技術】
【０００２】
従来技術における監視システムでは、監視対象者の位置情報を取得するためのＩＤタグリーダと監視対象者の映像情報を取得するための監視カメラを組み合わせ、監視対象エリア内に入った監視対象者を監視している。その際、ＩＤタグを持っている監視対象者はＩＤタグリーダで、ＩＤタグを持たない監視対象者は監視カメラで監視する（例えば、特許文献１および特許文献２参照）。
【０００３】
【特許文献１】特開２００４−３００２２号公報（第２−３頁、図１）
【特許文献２】特開２００３−８５２７４号公報（第４頁、図１）
【発明の開示】
【発明が解決しようとする課題】
【０００４】
従来の監視システムでは、ＩＤタグリーダと監視カメラは据付時に位置を固定されており、拡張性がなかった。また、ＩＤタグリーダや監視カメラの故障には簡単に対処できなかった。
【０００５】
この発明は、上記のような課題を解決するためになされたものであり、位置情報取得手段と、映像情報取得手段と、ネットワークインターフェイス手段とを設けた監視機器を用いて、容易に拡張可能で耐故障性に優れた監視システムを提供することを目的とする。
【課題を解決するための手段】
【０００６】
この発明に係る監視システムでは、個体識別要素が付与された個体について個体の位置情報を取得する位置情報取得手段と、個体識別要素が付与された個体を含む複数の個体について個体の映像情報を取得する映像情報取得手段と、ネットワークインターフェイス手段とを設けた監視機器により取得された情報を前記ネットワークインターフェイス手段により前記監視機器からネットワークを介して監視管理装置に送信するものである。
【発明の効果】
【０００７】
この発明によれば、位置情報取得手段と、映像情報取得手段と、ネットワークインターフェイス手段とを設けた監視機器を用いて、容易に拡張可能で耐故障性に優れた監視システムを提供することができる。
【発明を実施するための最良の形態】
【０００８】
実施の形態１．
以下、この発明による実施の形態１を図１および図２に基づいて説明する。図１は実施の形態１における監視システムのシステム構成を示すブロック図である。図２は実施の形態１における監視機器の機能構成を示すブロック図である。
【０００９】
図１において、監視対象エリア１０１には、無線ＬＡＮ基地局１０２、監視機器１０３、監視対象個体としての監視対象者１０４、個体識別要素としてのＲＦＩＤタグ１０５が存在する。監視機器１０３は、無線ネットワーク１０６を介して無線ＬＡＮ基地局１０２に接続されている。監視サーバ１０７は、ネットワーク１０８を介して無線ＬＡＮ基地局１０３に接続されている。監視対象者１０４は、ＲＦＩＤタグ１０５を持っている場合がある（持っていない場合もある）。
【００１０】
図２において、監視機器１０３は、監視カメラ２０１、個体識別要素としてのＲＦＩＤタグ１０５から無線で発信される個体識別情報を受信し位置情報を取得するＲＦＩＤタグリーダ２０２、無線ＬＡＮインターフェース２０３を備えている。監視カメラ２０１およびＲＦＩＤタグリーダ２０２から取得された映像情報および位置情報は、無線ＬＡＮインターフェース２０３を介して送信される。
【００１１】
次に、動作について説明する。監視対象エリア１０１内に監視対象者１０４が存在するものとする。監視機器１０３は、監視カメラ２０１により監視対象者１０４の映像情報を取得する。監視対象者１０４がＲＦＩＤタグ１０５を持っている場合、監視機器１０３は、ＲＦＩＤタグリーダ２０２により監視対象者１０４の持っているＲＦＩＤタグ１０５の位置情報を取得する。監視機器１０３は、無線ＬＡＮインターフェース２０３，無線ネットワーク１０６，無線ＬＡＮ基地局１０３，ネットワーク１０８を介して、映像情報および位置情報を監視サーバ１０７に送信する。監視サーバ１０７では、送信された映像情報および位置情報を元に監視対象者１０４の監視を行う。
【００１２】
以上のように、監視カメラ２０１、ＲＦＩＤタグリーダ２０２といった複数のセンサを組合せることで、監視対象エリア１０１内にいる監視対象者１０４がＲＦＩＤタグ１０５を持っている場合、持っていない場合のどちらでも監視を行うことができる。この際に、ＲＦＩＤタグ１０５の位置情報を使用することで、監視カメラ２０１で全ての監視を行う場合よりも簡単に監視することができる（ＲＦＩＤタグ１０５を持っている監視対象者１０４は映像情報を監視する必要がない）。さらに、監視機器１０３は無線ＬＡＮインターフェース２０３を備えているため、監視機器１０３を監視対象エリア１０１に持ってきて配置するだけで映像情報および位置情報が収集可能である。これは、例えば監視対象エリア１０１を新規に設置する場合、監視対象エリア１０１を拡大する場合など、機器の設置にかかる手間を大幅に削減できる。ある監視機器１０３が故障した場合、その機器の交換も簡単である。
【００１３】
この発明による実施の形態１によれば、ＲＦＩＤタグ１０５からなる個体識別要素が付与された監視対象者１０４としての個体について個体の位置情報を個体識別により取得するＲＦＩＤタグリーダ２０２からなる位置情報取得手段と、ＲＦＩＤタグ１０５からなる個体識別要素が付与された監視対象者１０４としての個体を含む複数の監視対象者１０４としての個体について個体の映像情報を取得する監視カメラ２０１からなる映像情報取得手段と、無線ＬＡＮインターフェイス２０３からなるネットワークインターフェイス手段とを設けた監視機器１０３を備え、前記ＲＦＩＤタグリーダ２０２からなる位置情報取得手段および監視カメラ２０１からなる映像情報取得手段によって前記監視機器１０３により取得された情報を前記無線ＬＡＮインターフェイス２０３からなるネットワークインターフェイス手段により前記監視機器１０３から無線ネットワーク１０６を介して監視管理装置に送信するようにしたので、位置情報取得手段と、映像情報取得手段と、ネットワークインターフェイス手段とを設けた監視機器を用いて、容易に拡張可能で耐故障性に優れた監視システムを提供することができる。
【００１４】
また、この発明による実施の形態１によれば、無線により識別情報を発信するＲＦＩＤタグ１０５からなる個体識別要素が付与された監視対象者１０４としての個体について前記識別情報を受信して監視対象者１０４としての個体の位置情報を個体識別により取得する複数のＲＦＩＤタグリーダ２０２からなる位置情報取得手段と、ＲＦＩＤタグ１０５からなる個体識別要素が付与された監視対象者１０４としての個体を含む複数の監視対象者１０４としての個体について個体の映像情報を取得する監視カメラ２０１からなる映像情報取得手段と、無線ＬＡＮインターフェイス２０３からなる無線ネットワークインターフェイス手段とを設けた監視機器１０３、前記監視機器１０３により取得された位置情報および映像情報を監視サーバ１０７からなる監視管理装置へ送信するための無線ＬＡＮ基地局１０２からなる無線ネットワーク基地局を備え、前記ＲＦＩＤタグリーダ２０２からなる位置情報取得手段および監視カメラ２０１からなる映像情報取得手段によって前記監視機器１０３により取得された位置情報および映像情報を前記無線ＬＡＮインターフェイス２０３からなる無線ネットワークインターフェイス手段により前記監視機器１０３から前記無線ネットワーク基地局１０２へ送信するようにしたので、位置情報取得手段と、映像情報取得手段と、無線ネットワークインターフェイス手段とを設けた監視機器を用いて、容易に拡張可能で耐故障性に優れた監視システムを提供することができる。
【００１５】
実施の形態２．
この発明による実施の形態２を図３について説明する。図３は実施の形態２における監視システムのシステム構成を示すブロック図である。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００１６】
実施の形態１では監視機器１０３の位置について言及していなかったが、図３に示すように監視対象エリア１０１内にＲＦＩＤタグリーダ有効範囲３０１を重ね合わせて監視機器１０３を配置する。すると、例えば中央の監視機器１０３が故障した場合に、上下の監視機器１０３がカバーして位置情報の送信を続けることができる。
以上のように、冗長に監視機器１０３を配置することで、監視システムの耐故障性が向上する。
【００１７】
この発明による実施の形態２によれば、実施の形態１における構成において、前記識別情報を受信する複数のＲＦＩＤタグリーダ２０２からなる位置情報取得手段の受信有効範囲としてのＲＦＩＤタグリーダ有効範囲３０１を重ね合わせて前記監視機器１０３を配置することで、ある監視機器１０３が故障した場合に、周囲の監視機器１０３が故障した監視機器１０３をカバーして位置情報の送信を続けるようにしたので、位置情報取得手段と、映像情報取得手段と、ネットワークインターフェイス手段とを設けた監視機器を用いて、容易に拡張可能で耐故障性に一層優れた監視システムを提供することができる。
【００１８】
実施の形態３．
この発明による実施の形態３を図４について説明する。図４は実施の形態３における監視機器の機能構成を示すブロック図である。
この実施の形態３において、ここで説明する特有の構成以外の構成については、先に説明した実施の形態１および実施の形態２における構成と同一の構成内容を具備し、同様の作用を奏するものである。図中、同一符号は同一または相当部分を示す。
【００１９】
この実施の形態３では、実施の形態１の構成に、図４に示すように監視機器１０３にその他のセンサ４０１を追加することで、追加したセンサに応じた情報を取得することができるものである。例えば、その他のセンサ４０１として赤外線センサをつけることで、暗い場所での監視対象者１０４の動作を監視できる。また、その他のセンサ４０１は監視カメラ２０１やＲＦＩＤタグリーダ２０２の代わりとする構成も可能である（例えば、監視カメラ２０１を付けずに赤外線センサを付ける場合など）。
以上のように、監視対象エリア１０１の環境や、監視機器１０３の目的に応じてセンサを取り替えることで、取得する情報の種類を変更できる。
【００２０】
この発明による実施の形態３によれば、実施の形態１または実施の形態２における構成において、前記監視機器１０３のセンサとして赤外線センサを設け、前記監視機器１０３のセンサを変更することで、取得する情報の種類を変更するようにしたので、位置情報取得手段と、映像情報取得手段と、ネットワークインターフェイス手段とを設けた監視機器を用いて、容易に拡張可能で耐故障性に優れるとともに、監視機器の機能を強化できる監視システムを提供することができる。
【００２１】
実施の形態４．
この発明による実施の形態４を図５について説明する。図５は実施の形態４における監視機器の機能構成を示すブロック図である。
この実施の形態４において、ここで説明する特有の構成以外の構成については、先に説明した実施の形態１から実施の形態３までにおける構成と同一の構成内容を具備し、同様の作用を奏するものである。図中、同一符号は同一または相当部分を示す。
【００２２】
この実施の形態４では、実施の形態１の構成に、図５に示すように監視機器１０３に警報装置５０１を追加する。監視サーバ１０７で不正侵入者を発見した場合には、監視サーバ１０７が監視機器１０３に対して警報を鳴らすよう指示する。監視機器１０３の警報装置５０１が鳴ることで監視機器１０３の周囲に注意を喚起することができる。
以上のように、監視機器１０３に警報装置５０１を追加することで、監視サーバ１０７で発見した異常を迅速に監視対象エリア１０１内に連絡することができる。
【００２３】
この発明による実施の形態４によれば、実施の形態１から実施の形態３までにおけるいずれかの構成において、前記監視機器１０３に監視サーバ１０７からなる監視管理装置からの指令に応動する警報装置５０１を設け、異常を前記監視機器１０３に通知できるようにしたので、位置情報取得手段と、映像情報取得手段と、ネットワークインターフェイス手段とを設けた監視機器を用いて、容易に拡張可能で耐故障性に優れるとともに、異常状態に即応して警戒態勢を確立できる監視システムを提供することができる。
【００２４】
実施の形態５．
この発明による実施の形態５を図６について説明する。図６は実施の形態５における監視機器の機能構成を示すブロック図である。
この実施の形態５において、ここで説明する特有の構成以外の構成については、先に説明した実施の形態１から実施の形態４までにおける構成と同一の構成内容を具備し、同様の作用を奏するものである。図中、同一符号は同一または相当部分を示す。
【００２５】
実施の形態１では、監視機器１０３は１つの機器であったが、この実施の形態５では、図６に示すように、監視機器（監視カメラ）６０１と監視機器（ＲＦＩＤタグリーダ）６０２に分割する。
以上のようにすると、監視機器（監視カメラ）６０１は監視カメラ２０１を配置するのに適した場所に、監視機器（ＲＦＩＤタグリーダ）６０２はＲＦＩＤタグリーダ２０２を配置するのに適した場所にそれぞれ配置することができる。すなわち、監視機器の配置を柔軟に行うことができる。
【００２６】
この発明による実施の形態５によれば、実施の形態１から実施の形態４までにおけるいずれかの構成において、前記監視機器１０２を監視カメラ２０１からなる映像情報取得手段のみ持った監視機器（監視カメラ）６０１からなる映像情報取得監視機器と、ＲＦＩＤタグリーダ２０２からなる位置情報取得手段のみ持った監視機器（ＲＦＩＤタグリーダ）６０２からなる位置情報取得監視機器によって構成し、前記監視機器１０２を監視カメラ２０１からなる映像情報取得手段のみ持った監視機器（監視カメラ）６０１からなる映像情報取得監視機器と、ＲＦＩＤタグリーダ２０２からなる位置情報取得手段のみ持った監視機器（ＲＦＩＤタグリーダ）６０２からなる位置情報取得監視機器とに分割することで、それぞれの監視機器を別の場所に配置できるようにしたたので、位置情報取得手段と、映像情報取得手段と、ネットワークインターフェイス手段とを設けた監視機器を用いて、容易に拡張可能で耐故障性に優れるとともに、監視機器の配置を適切に行える監視システムを提供することができる。
【００２７】
実施の形態６．
この発明による実施の形態６を図７および図８について説明する。図７は実施の形態６における監視システムのシステム構成を示すブロック図である。図８は監視機器の機能構成を示すブロック図である。
この実施の形態６において、ここで説明する特有の構成以外の構成については、先に説明した実施の形態１から実施の形態５までにおける構成と同一の構成内容を具備し、同様の作用を奏するものである。図中、同一符号は同一または相当部分を示す。
【００２８】
実施の形態１では、無線ＬＡＮ基地局１０２を用いていたが、この実施の形態６では、図７に示すように、無線ＬＡＮ基地局１０２の代わりにＨＵＢ７０１を用いるようにしている。その際に、ＨＵＢ７０１と監視機器１０３との間は有線ネットワーク７０２で接続する。この場合、監視機器１０３は、図８に示すように無線ＬＡＮインターフェース２０３の代わりに有線ＬＡＮインターフェース８０１を備える。
以上のようにすると、監視対象エリア１０１にすでに敷設済みの有線ＬＡＮネットワーク７０１がある場合、低コストで監視システムを構築することができる。
【００２９】
この発明による実施の形態６によれば、無線により識別情報を発信するＲＦＩＤタグ１０５からなる個体識別要素が付与された監視対象者１０４としての個体について前記識別情報を受信して監視対象者１０４としての個体の位置情報を個体識別により取得する複数のＲＦＩＤタグリーダ２０２からなる位置情報取得手段と、ＲＦＩＤタグ１０５からなる個体識別要素が付与された監視対象者１０４としての個体を含む複数の監視対象者１０４としての個体について個体の映像情報を取得する監視カメラ２０１からなる映像情報取得手段と、有線ＬＡＮインターフェイス８０１からなる有線ネットワークインターフェイス手段とを設けた監視機器１０３、前記監視機器１０３により取得された位置情報および映像情報を監視サーバ１０７からなる監視管理装置へ送信するためのＨＵＢ７０１からなる有線ネットワーク中継手段を備え、前記ＲＦＩＤタグリーダ２０２からなる位置情報取得手段および監視カメラ２０１からなる映像情報取得手段によって前記監視機器１０３により取得された位置情報および映像情報を前記有線ＬＡＮインターフェイス８０１からなる有線ネットワークインターフェイス手段により前記監視機器１０３から前記ＨＵＢ７０１からなる有線ネットワーク中継手段へ送信するようにしたので、位置情報取得手段と、映像情報取得手段と、有線ネットワークインターフェイス手段とを設けた監視機器を用いて、容易に拡張可能で耐故障性に優れた監視システムを提供することができる。
【００３０】
実施の形態７．
この発明による実施の形態７を図９について説明する。図９は実施の形態７における監視システムのシステム構成を示すブロック図である
この実施の形態７において、ここで説明する特有の構成以外の構成については、先に説明した実施の形態１から実施の形態６までにおける構成と同一の構成内容を具備し、同様の作用を奏するものである。図中、同一符号は同一または相当部分を示す。
【００３１】
実施の形態１では、監視機器１０３は無線ＬＡＮ基地局１０２と直接通信していたが、この実施の形態７では、図９に示すように、間の監視機器を介して映像情報、位置情報を送信するようにしている。例えば、監視機器Ｃ：９０３が監視サーバ１０７に映像情報および位置情報を送信する場合、監視機器Ｃ：９０３は監視機器Ｂ：９０２に映像情報および位置情報を送信し、監視機器Ｂ：９０２は受け取ったデータを監視機器Ａ：９０１に送信し、監視機器Ａ：９０１は受け取ったデータを無線ＬＡＮ基地局１０２に送信することで、最終的に監視サーバ１０７にデータが届く。
以上のようにすると、無線ＬＡＮ基地局１０２から離れていて直接無線ＬＡＮ基地局１０２と通信できない監視機器１０３でも、間に存在する監視機器１０３を介することで通信が可能になる。
【００３２】
この発明による実施の形態７によれば、実施の形態１から実施の形態５までにおけるいずれかの構成において、例えば監視機器Ｃ：９０３からなる監視機器が無線ＬＡＮ基地局１０２と直接通信するのではなく、間に存在する他の監視機器例えば監視機器Ｂ：９０２および監視機器Ａ：９０１を介して無線ＬＡＮ基地局１０２と通信するようにしたので、位置情報取得手段と、映像情報取得手段と、ネットワークインターフェイス手段とを設けた監視機器を用いて、容易に拡張可能で耐故障性に優れるととともに、通信機能を監視機器の連携によって適切に確保できる監視システムを提供することができる。
【図面の簡単な説明】
【００３３】
【図１】この発明による実施の形態１における監視システムのシステム構成を示すブロック図である。
【図２】この発明による実施の形態１における監視機器の機能構成を示すブロック図である。
【図３】この発明による実施の形態２における監視システムのシステム構成を示すブロック図である。
【図４】この発明による実施の形態３における監視機器の機能構成を示すブロック図である。
【図５】この発明による実施の形態４における監視機器の機能構成を示すブロック図である。
【図６】この発明による実施の形態５における監視機器の機能構成を示すブロック図である。
【図７】この発明による実施の形態６における監視システムのシステム構成を示すブロック図である。
【図８】この発明による実施の形態６における監視機器の機能構成を示すブロック図である。
【図９】この発明による実施の形態７における監視システムのシステム構成を示すブロック図である。
【符号の説明】
【００３４】
１０１  監視対象エリア、１０２  無線ＬＡＮ基地局、１０３  監視機器、１０４  監視対象者、１０５  ＲＦＩＤタグ、２０１  監視カメラ、２０２  ＲＦＩＤタグリーダ、２０３  無線ＬＡＮインターフェース、３０１  ＲＦＩＤタグリーダ有効範囲、４０１  その他のセンサ、５０１  警報装置、６０１  監視機器（監視カメラ）、６０２  監視機器（ＲＦＩＤタグリーダ）、７０１  ＨＵＢ、７０２  有線ネットワーク、８０１  有線ＬＡＮインターフェース、９０１  監視機器Ａ、９０２  監視機器Ｂ、９０３  監視機器Ｃ。
【図１】
2006180387.tif 000003
【図２】
2006180387.tif 000004
【図３】
2006180387.tif 000005
【図４】
2006180387.tif 000006
【図５】
2006180387.tif 000007
【図６】
2006180387.tif 000008
【図７】
2006180387.tif 000009
【図８】
2006180387.tif 000010
【図９】
2006180387.tif 000011